(57)【特許請求の範囲】
【請求項１】
電気エネルギ貯蔵アセンブリは、
少なくとも１つの側壁（２１）及び少なくとも１つの開口端を含む少なくとも１つのケース（２０）と、
前記ケース（２０）に収容されるための電気化学素子（３０）と、
前記ケース（２０）の前記少なくとも１つの開口端に位置させられる少なくとも１つのカバー（４０）であって、前記ケース（２０）の前記開口端を覆うための包囲壁（４１、４５）及び、該包囲壁（４１、４５）の外周に設けられて前記ケース（２０）の前記側壁（２１）に対向するための側壁（４２、４３）を含むカバー（４０）とを備え、
前記貯蔵アセンブリは、前記ケース（２０）の前記側壁（２１）と前記カバー（４０）の前記側壁（４２、４３）との間に位置させられる少なくとも１つの弾性電気絶縁環状リング（５０）をさらに備え、
前記リング（５０）と前記ケース（２０）との間、または前記リング（５０）と前記カバー（４０）との間、もしくはその両方に規定されて、気体が貯蔵アセンブリの内外を通過することを可能にする、少なくとも１つの脱気通路をさらに備え、
その間にリング（５０）が配置される、前記カバー及び前記ケースの前記側壁（２１、４２；２１、４４）は、前記リングと接触する領域全体にわたって、平行であり、
前記ケースまたは前記カバーが、前記リングと対向するための前記側壁の一方の面において、少なくとも１つの凹部を有し、該凹部は、前記側壁の縦方向寸法に少なくとも部分的に沿って延設され、前記リングとともに脱気通路を形成し、
前記カバー（４０）及び前記ケース（２０）の前記側壁（２１、４２；２１、４４）の間に配置される接着剤（６０、６２）をさらに備え、これにより、前記リング（５０）は、前記ケースの内側に配置された電気化学素子（３０）と前記接着剤（６０、６２）とが接触するために、前記接着剤が通らなければならない経路上に配置されていることを特徴とする貯蔵アセンブリ。
【請求項２】
前記リング（５０）を構成する材料はエラストマである
ことを特徴とする請求項１に記載の貯蔵アセンブリ。
【請求項３】
前記リング（５０）を構成する材料はエチレンプロピレンジエンモノマである
ことを特徴とする請求項２に記載の貯蔵アセンブリ。
【請求項４】
前記リング（５０）を構成する材料は発泡体である
ことを特徴とする請求項１乃至３の何れか一項に記載の貯蔵アセンブリ。
【請求項５】
前記リング（５０）はその高さ全体にわたって分断されている
ことを特徴とする請求項１乃至４の何れか一項に記載の貯蔵アセンブリ。
【請求項６】
前記リング（５０）はチューブ状であり、
前記リング（５０）は、その面（５３、５４）の少なくとも一方にわたって、前記リングの縦方向の寸法全体にわたって延びる少なくとも１つの凹部（５２）を有し、
各々の凹部（５２）が、前記カバー（４０）または前記ケース（２０）の前記側壁（４２、４３；２１）とともに、脱気通路を形成する
ことを特徴とする請求項１乃至５の何れか一項に記載の貯蔵アセンブリ。
【請求項７】
前記リング（５０）はチューブ状であり、
前記リング（５０）は、その面（５３、５４）の少なくとも一方に半径方向に延びる少なくとも１つのピン（５５）を有し、
各々のピン（５５）が、前記カバー（４０）または前記ケース（２０）の前記側壁（４２、４３）とともに、脱気通路を少なくとも部分的に規定する
ことを特徴とする請求項１乃至６の何れか一項に記載の貯蔵アセンブリ。
【請求項８】
前記カバー（４０）または前記ケース（２０）の側壁（４２、４３；２１）は、前記リング（５０）に対向するための前記面に半径方向に延びる少なくとも１つのピンを有し、各々のピンは、前記面と対向するための前記リングの前記面とともに、少なくとも部分的に脱気通路を形成する
ことを特徴とする請求項１乃至７の何れか一項に記載の貯蔵アセンブリ。
【請求項９】
前記カバー（４０）または前記ケース（２０）の前記側壁（４２、４３；２１）は、前記リング（５０）を収容するための隙間（４６）を有する
ことを特徴とする請求項１乃至８の何れか一項に記載の貯蔵アセンブリ。
【請求項１０】
前記ケースまたは前記カバーは、一方では、前記リングと対向するための面（２１；４２、４３）に、位置決め用の溝を有する
ことを特徴とする請求項１乃至９の何れか一項に記載の貯蔵アセンブリ。
【請求項１１】
前記リングは、その面のうち少なくとも１つにわたって、先のとがった断面を有し、これにより、前記リングと、前記カバーまたは前記ケースとの間の接触が、線状の接触になっている
ことを特徴とする請求項１乃至１０の何れか一項に記載の貯蔵アセンブリ。
【請求項１２】
前記リング（５０）は、前記リングの縦方向に延び、前記リングをこの方向に局所的に拡張する、少なくとも１つのタブ（６０）を有する
ことを特徴とする請求項１乃至１１の何れか一項に記載の貯蔵アセンブリ。
【請求項１３】
請求項１から１２の何れか一項に記載の電気貯蔵アセンブリの組立方法であって、少なくとも、
前記ケースの内側に前記電気化学素子を配置するステップと、
前記ケースの開口面に前記カバーを配置するステップと
を備え、
前記弾性電気絶縁環状リングが前記凹部によって脱気通路を形成するように、前記環状弾性電気絶縁リングを互いに平行な前記カバーの側壁と前記ケースの側壁との間に配置することからなるステップをさらに備え、
前記カバー、前記ケース、及び前記環状リングが配置されたあとに、
前記ケース（２０）と前記カバー（４０）の前記側壁（２１、４２；２１、４４）の間に接着剤（６０、６２）を付与するステップと、
前記接着剤を加熱して前記接着剤を重合化させるステップと
からなるステップを備えることを特徴とする
電気貯蔵アセンブリの組立方法。
【請求項１４】
前記環状リングを配置するステップからなるステップは、前記カバー（４０）を前記ケース（２０）の開口端に配置するステップの後に実行されるとともに、前記カバー（４０）と前記ケース（２０）の前記側壁（２１、４２；２１、４４）の間に前記環状リングを配置するステップは、圧入によって実現されてもよい
ことを特徴とする請求項１３に記載の電気貯蔵アセンブリの組立方法。
【発明の詳細な説明】
【技術分野】
【０００１】
本発明は、電気エネルギ貯蔵アセンブリの一般的な技術分野に関する。
【０００２】
本発明の範囲において、「電気エネルギ貯蔵アセンブリ」とは、キャパシタ（すなわち、２つの電極と絶縁体とを含む受動システム）、または超キャパシタ（すなわち、少なくとも２つの電極と、電解質と、少なくとも１つの隔離板とを含むシステム）、または、リチウム電池タイプの電池（すなわち、少なくとも１つのアノードと、少なくとも１つのカソードと、アノードとカソードとの間の電解質溶液とを含むシステム）のいずれかを意味する。以下、「電気化学素子」または「容量性素子」といった用語はアセンブリにおいて実際のエネルギ貯蔵を可能にする部分を指すために用いられることとする。
【背景技術】
【０００３】
図１に、チューブ形の超キャパシタ方式のエネルギ貯蔵アセンブリの一例を示す。このエネルギ貯蔵アセンブリは、両端が開口したチューブ形ケース２０と、容量性巻回体３０と、該チューブ形ケース２０に収容される液体電解質と、該チューブ形素子２０の両開口端に蓋をするための２つのカバー４０とを含む。一般的に、これらのカバーは接着によって該ケースに取り付けられる。ケースとカバーとは、例えば、アルミニウムなどの金属からなる。
【０００４】
貯蔵アセンブリは、ケースと、それぞれのカバーとの間に、電気絶縁中間部１０をさらに備える。中間部１０は、硬性または半硬性のポリマからなるものであってもよく、一般的には、貯蔵アセンブリの組立中にカバーまたはケースに押圧される。
【０００５】
中間部１０によって、ケースとそれぞれのカバー間の電気的絶縁を確保することができる。また、貯蔵アセンブリの組立の際、ケース内に接着剤が侵入することを防ぐことができる。
【０００６】
このような貯蔵アセンブリの問題点の１つは、その製造が寸法的に非常に限定されることである。つまり、貯蔵アセンブリを正しく組み立てるためには、ケース、カバー、及び中間部の寸法は非常に正確でなければならない。
【０００７】
この貯蔵アセンブリのもう１つの問題は、組立中に貯蔵アセンブリを構成する様々な素子が温度変化にさらされることによる中間部の変形のおそれに関する。つまり、現存する低コストのポリマのなかには、アルミニウムに近い膨張係数を持つものはない。このために、激しい温度変化の影響下では、膨張が起こって中間部が浮いてしまうおそれがある。もし浮いてしまった場合、中間部は接着剤を防ぐことはできず、接着剤がケースの中に入って動作障害を引き起こす可能性がある。
【発明の概要】
【発明が解決しようとする課題】
【０００８】
本発明の目的の１つは、上述の問題点を補填することを可能にする貯蔵アセンブリ及びそのようなアセンブリの組立方法を提供することである。
【課題を解決するための手段】
【０００９】
したがって、電気エネルギ貯蔵アセンブリは、
少なくとも１つの側壁及び少なくとも１つの開口端を含む少なくとも１つのケースと、
前記ケースに収容されるための電気化学素子と、
前記ケースの前記少なくとも１つの開口端に位置させられる少なくとも１つのカバーであって、前記ケースの前記開口端を覆うための包囲壁及び該包囲壁の外周に設けられて前記ケースの前記側壁に対向するための側壁を含むカバーとを備え、
前記貯蔵アセンブリは、前記ケースの前記側壁と前記カバーの前記側壁との間に位置させられる少なくとも１つの電気絶縁弾性環状リングをさらに備えることを特徴とする。
【００１０】
好ましくは、前記リングはアルミニウムに近い膨張係数をもつ材料からなる。
【００１１】
弾性環状リングを用いることには、様々な利点がある。従来の貯蔵アセンブリの中間部１０と同じ機能を持たせることができる（一方ではカバーとケース間を電気的に絶縁し、他方では接着剤に対する障壁となる）とともに、カバーとケースの寸法が異なる可能性がある場合に、その差による組立間隙を埋めることができる。
【００１２】
本発明に係る貯蔵アセンブリの、好ましいが限定的ではない実施形態は以下の通りである。
・リングを構成する材料はエラストマであり、とくにＥＰＤＭである。
・リングを構成する材料は発泡体であり、例えば、エラストマ系発泡体である。
・リングは、その高さ全体に渡って分断されている。これにより、リングは変形可能であり、これにより弾性を有する。この場合、分断部は複雑な形状であってもよい（Ｓ字形、ジグザグ形など）
・貯蔵アセンブリは、リングとケースの間またはリングとカバーの間、もしくはその両方に規定される、少なくとも１つの脱気通路をさらに含み、この脱気通路により、気体が貯蔵アセンブリの内外を行き来できるようになっている。
・第１実施形態では、前記リングはチューブ形状であり、該リングは、その面の少なくとも一方に、該リングの縦方向の寸法全体にわたって延びる少なくとも１つの凹部を含み、それぞれの凹部が該カバーまたは該ケースの側壁とともに脱気通路を形成する。好ましくは、この凹部はリングの縦方向に沿って延びる。
・これに加えて、あるいはこれに代えて、前記ケースまたは前記カバーは、リングに対向させられるその側壁の一方の面に、該側壁の縦方向寸法に少なくとも部分的に延びる少なくとも１つの凹部を有していてもよい。それぞれの凹部は、リングとともに、脱気通路を形成する。「縦方向に少なくとも部分的に延びる」とは、凹部が、少なくとも縦方向成分を有する経路に沿って延びることを意味し、とくに側壁の縦方向に沿って延びることを意味する。また、凹部は、この縦方向において、リングの寸法以上の寸法にわたって延設される。
・また、リングはチューブ形状であってもよく、その面の少なくとも一方にわたって半径方向に延びる少なくとも１つのピンを含んでいてもよい。それぞれのピンは、カバーまたはケースの側壁とともに、脱気通路を少なくとも部分的に規定する。つまり、ピンは局所的にリングを壁から離し、ピン近傍に形成される空間が脱気通路に相当する。
・また、カバーまたはケースの側壁は、リングに対向させられる面にわたって半径方向に延びる少なくとも１つのピンを含んでいてもよい。それぞれのピンは、この側面に対向させられるリングの面とともに、少なくとも部分的に脱気通路を形成する。
・また、カバーまたはケースの側壁は、リングを収容するための凹部を含んでいてもよい。
・ケースまたはカバーは、リングと対向させられる面上に、位置決め溝を有する。この溝は、とくに、周状の溝であり、リングを他の素子に押しつけて、リングと２つの素子間との良好な固定を可能にする。また、リングは位置決め溝を補完する通路を有していてもよく、この通路が位置決め溝を収容する。
・リングはその面の少なくとも一方にわたって先のとがった部分を有し、これにより、リングとカバーまたはケースとの接触部分は線状の接触になっている。これにより、リングを容易にケースまたはカバーに挿入できる。リングのプロファイルは、とくに、対称的なプロファイル（ひし形プロファイル）であってもよい。
・リングは、該リングの縦方向に延びる少なくとも１つのタブを含み、このタブが局所的にリングをこの方向に伸ばしている。これにより、局所的に、カバーとケースの間に挿入される接着剤の高さを低減することができ（接着剤はリングのない部分にしか挿入できない）、局所的に機械的に弱い部分を形成することで、必要なときにカバーとケースとを離しやすくすることができる。
・その間にリングが位置する、カバー及びケースの側壁は、リングと接触する領域全体にわたって平行である。好ましくは、これらの側壁はそれぞれこの領域において、アセンブリの縦方向に直線状のプロファイルを有する。すなわち、突起や空洞がまったくない。つまり、本発明においては、リングを圧迫するために、一方または他方の側壁を変形させる必要はなく、したがって壁は平行で簡単な設計のままとしてもよい。
・アセンブリは、カバー及びケースの側壁の間に位置する接着剤を含み、これにより、リングは、接着剤がケース内部の電気化学素子と接触するために通らなければならない経路上に位置するようになっている。すなわち、カバーの側壁がケースの側壁に包囲されている場合には、アセンブリの外側から電気化学素子に接触する経路は直線状であり、接着剤はシールよりもアセンブリの自由端に近い。一方、カバーの側壁がケースの側壁を包囲している場合、アセンブリの外側から電気化学素子に接触する経路はＵ字を形成し、この経路の底部分がアセンブリの縦方向の端を構成し、シールの方が接着剤よりもアセンブリの縦方向端に近くなる。
【００１３】
また、本発明は、少なくとも１つの側壁及び少なくとも１つの開口端を含む少なくとも１つのケースと、電気化学素子と、包囲壁及び該包囲壁の外周に設けられる側壁を含む少なくとも１つのカバーとを備える電気貯蔵アセンブリの組立方法に関し、この組立方法は、少なくとも、
ケースの内側に電気化学素子を配置するステップと、
カバーをケースの開口面に配置するステップと
を備え、
弾性電気絶縁環状リングを前記カバーと前記ケースの間に配置することからなるステップをさらに備えることを特徴とする。
【００１４】
本発明に係る方法の、好ましいが限定的ではない実施形態は以下の通りである。
【００１５】
カバー及びリングを配置することからなるステップは、さらに次のサブステップを含んでいてもよい。
・リングをカバーの側壁に配置するステップ。
・リング及びカバーからなる組を、ケースの開口端に配置するステップ。
【００１６】
さらに、次のサブステップを備えていてもよい。
・リングをケースの側壁に配置するステップ。
・カバーをリング及びケースからなる組に配置するステップ。
【００１７】
または、好ましくは次のサブステップを備えていてもよい。
・カバーをケースの開口端に配置するステップ。
・リングをカバーの側壁とケースの側壁との間に、とくに圧入によって、配置するステップ。
【００１８】
なお、この方法は、リングを挿入した後、側壁のうち１つを変形するステップを含まない。なぜなら、完全に密閉されたアセンブリを得るために該リングに圧力をかける必要はなく、リングが密閉の役割をもつのは一時的に、接着剤がアセンブリに付与されるまでのことだからである。
【００１９】
リング、カバー、及びケースが相互に関連して配置されると、接着剤が該カバーと該ケースとの間に挿入される。それから接着剤は加熱され重合化する。したがって、接着剤がアセンブリを密閉する役割を担う。
【００２０】
本発明のその他の特徴、目的と効果は後述の説明で明らかにされるが、この説明はまったく例示的なものであって限定的なものではなく、以下に説明する図面とあわせて考慮されなければならない。
【図面の簡単な説明】
【００２１】
【図１】従来技術の貯蔵アセンブリの一実施形態を示す図である。
【図２】本発明に係る貯蔵アセンブリの異なる実施形態の概略図である。
【図３】本発明に係る貯蔵アセンブリの異なる実施形態の概略図である。
【図４】本発明に係る貯蔵アセンブリの環状リングの異なる実施形態の概略図である。
【図５】本発明に係る貯蔵アセンブリの環状リングの異なる実施形態の概略図である。
【図６】本発明に係る貯蔵アセンブリの環状リングの異なる実施形態の概略図である。
【図７】本発明に係る貯蔵アセンブリの異なる実施形態の概略図である。
【図８】本発明に係る貯蔵アセンブリの組立方法の一例を示す図である。
【図９】本発明に係る貯蔵アセンブリの異なる実施形態の概略図である。
【図１０】本発明に係る貯蔵アセンブリの環状リングの異なる実施形態の概略図である。
【図１１】本発明の図３及び図２の実施形態に係るエネルギ貯蔵アセンブリの断面図であって、貯蔵アセンブリに接着剤が付与された状態を示す図である。
【図１２】本発明の図３及び図２の実施形態に係るエネルギ貯蔵アセンブリの断面図であって、貯蔵アセンブリに接着剤が付与された状態を示す図である。
【発明を実施するための形態】
【００２２】
以下、図面を参照して、本発明の貯蔵アセンブリ及び製造方法の異なる実施形態を説明する。各図面において、貯蔵アセンブリの同等の要素には同一の符号が付されている。
【００２３】
図２を参照すると、本発明に係る貯蔵アセンブリの変更例が示されている。貯蔵アセンブリは、ケース２０と、電気化学的または容量性の素子３０と、カバー４０とを含む。
【００２４】
ケース２０は、両端のうち一端が開口した円筒状の側壁２１と、他端に設けられる底壁２２とからなる。ケース２０は、容量性素子３０のハウジングを構成する。
【００２５】
カバー４０はケース２０の開口端に配置されるようになっている。カバー４０は、包囲壁４１及び該包囲壁の外周に設けられる側壁４２を含む。包囲壁４１は、ケース２０の開口端を覆うようになっている。側壁４２は、ケース２０の側壁２１に対向するようになっている。
【００２６】
電気化学素子３０は、例えば、２つの複合体と、該２つの複合体の間に設けられる電気絶縁分離体とからなる。複合体の各々は集電体及び少なくとも１つの電極を含む。電極の各々は、活性炭と、導電性の添加剤と、一（または複数）のポリマとからなるものであってもよく、該ポリマが、活性炭と導電性添加剤とを結合させる。それから、電極は集電体上にコーティングされるか、押し出される。電極は、複合体の活物質を構成する。集電体を構成する材料は、例えば、アルミニウム、ニッケル、銅またはステンレスである。集電体の材料は、電極と電解質の構成成分に対する、材料の化学的そして電気化学的な不活性性によって選択される。複合体と分離体とは、渦巻状に巻かれて、巻回素子を形成してもよい。それから、巻回素子を水性または有機的な電解質で含浸する。この電解質はイオンを含むとともに導電性を有する。
【００２７】
容量性素子の（一または複数の）正極はカバーに電気的に接続されている。（一または複数の）負極はケースに電気的に接続されている。
【００２８】
有利には、貯蔵アセンブリは、電気絶縁環状リング５０をさらに備える。電気絶縁環状リング５０は、概ね、両端が開口したチューブ形を有する。該リング５０は、カバー４０とケース２０との間に配置されるようになっており、ケースと同軸である。図２に示す実施形態では、リング５０はカバー４０の側壁４２と、ケース２０の側壁２１の内表面との間に配置されている。このリングによって、ケースをカバーから電気的に絶縁することができる。また、図１２にさらに明確に示す通り、このリングによって、貯蔵アセンブリの組立段階において、接着剤がケースの内側に侵入することを防ぐことができる。
【００２９】
環状リング５０を用いることで、従来技術の貯蔵アセンブリで用いられる中間部１０と同じ機能を引き続き提供しつつ、貯蔵アセンブリの組立段階を容易にすることができる。
【００３０】
好ましくは、環状リング５０は弾性を有し、これにより組立段階におけるケースとカバー間への載置及び固定が容易になっている。さらに、リングの弾性により、（一または複数の）カバー及びケースの寸法の不確実性による組立間隙を補うことが可能である。
【００３１】
例えば、リング５０は弾性材料または非弾性材料からなるものであってもよく、図４に示すように、その高さ全体にわたってスリット５１（斜めのスリット、曲線スリットなど）を有していてもよい。このスリット５１によって、リング５０は半径方向の弾性を有し、カバー４０への挿入及び保持がより容易になる。
【００３２】
変更例として、リングはエラストマなどの弾性材料からなるものであってもよい。例えば、リングを構成する材料はエチレンプロピレンジエンモノマ（ＥＰＤＭ）でもよい。
【００３３】
リングの寸法は、カバーとケースの寸法に適合させられる。具体的には、リングの内径は、カバーの外形よりもわずかに小さいか、ほぼ一致している。これにより、リングとカバーの位置の良好な固定を確保できる。同様に、リングの外形は、ケースの内径よりもわずかに大きいか、ほぼ一致している。これにより、ケース上においてリングとカバーの位置の良好な固定を確保できる。
【００３４】
リングのプロファイルはその断面が異なっていてもよい。例えば、リングの断面は円形や、四角形などの多角形であってもよい。環状リングの厚さはその高さ全体にわたって一定でもよく、または異なっていてもよい。例えば、リングは、その縦方向の両端に向かって先細りの、２つの円錐からなる（すなわち先のとがった）形状であってもよい。変更例として、リングはその両開口端において厚さが減少する領域を有していてもよい。これにより、リングとカバーまたはケースとの間の接触領域を減少させることができ、したがってカバーまたはケースもしくはその両方へのリングの挿入を容易にすることができる。なお、有利には、ひし形などの対称的なプロファイルによって、組立の方向をなくすことができる（可逆性）。
【００３５】
図３を参照して、本発明に係る貯蔵アセンブリの他の変更例である実施形態を示す。貯蔵アセンブリは、ケースと、容量性素子と、２つのカバーとを備える。なお、変更例では、アセンブリは、底と、１つの開口端にのみ設けられたカバーとを有するハウジングからなるケースを含んでいてもよい。
【００３６】
ケースは両端が開口した円筒形の側壁からなる。
【００３７】
各々のカバー４０は、ケース２０の対応する開口端に配置されるようになっている。各々のカバー４０は、包囲壁４５及び、側壁４３を有する外周スカート４４を含む。包囲壁４５は、ケース２０の開口端を覆うようになっている。側壁４３は、ケース２０の側壁２１に対向し、ケース２０の両端でケース２０を包囲するようになっている。
【００３８】
貯蔵アセンブリは、２つの電気絶縁環状リング５０をさらに備える。各々のリング５０は、対応するカバーと組み合わされ、ケースの側壁２１の外面と、カバーの側壁４３の内面との間に配置される。
【００３９】
リング５０の内径は、ケース２０の外径よりもわずかに小さいか、またはほぼ一致している。これにより、ケース２０上におけるリング５０の位置の良好な固定を確保できる。リング５０の外径は、カバー４０の外周スカート４４の内径よりもわずかに小さいか、またはほぼ一致している。これにより、貯蔵アセンブリの組立段階において、リング５０上でカバー４０の位置の良好な固定を確保できる。
【００４０】
以上、本発明に係る貯蔵アセンブリの２つの変更例としての実施形態を示した。第１の変更例では、環状リング５０はカバー４０の側壁４２を包囲しており、同時にケース２０の側壁２１に包囲されている。第２の変更例では、リング５０はケース２０の側壁２１を包囲しており、同時にカバー４０の外周スカート４４の側壁４３に包囲されている。
【００４１】
どの実施例においても、貯蔵アセンブリは一（または複数）の接着剤脱気通路を含んでいてもよい。この脱気通路によって、貯蔵アセンブリの組立段階で用いられる接着剤に閉じこめられた空気を排出することができる。
【００４２】
変更例として、環状リング５０は発泡体からなるものであってもよい。これにより脱気通路をなくすことができ、この場合の空気の排出は発泡体を通して直接行われる（連続気泡発泡体の場合）。なお、独立気泡発泡体による密閉も、本発明の範囲内と考えてよい。
【００４３】
脱気通路は、カバーとリングの間またはリングとケースの間もしくはその両方に位置していてもよい。
【００４４】
図５（ａ）から図５（ｅ）に示す実施形態では、脱気通路は環状リング５０に設けられリングの縦方向寸法全体にわたって延びる凹部を含む。この凹部はリング５０の高さ全体にわたって延びる溝５２であってもよい。溝５２は、環状リング５０の外面に設けられていてもよく（図５（ｂ）及び図５（ｄ））、環状リング５０の内面に設けられていてもよい（図５（ｃ）及び図５（ｅ））。溝５２は、リングの回転軸と垂直の面における断面において、異なる形状を有していてもよく、円筒形、三角形、正方形、四角形などであってもよい。さらに、溝の寸法及び数は異なっていてもよい。
【００４５】
図２を参照すると、溝５２がリング５０の内面５３にわたって延びている場合、溝５２と、カバー４０の側壁４２とが、脱気通路を形成する。溝５２がリング５０の外面５４にわたって延びている場合、溝５２と、ケース２０の側壁２１とが脱気通路を形成する。
【００４６】
図３を参照すると、溝５２がリング５０の内面５３にわたって延びている場合、溝５２と、ケース２０の側壁２１とが脱気通路を形成する。溝５２がリング５０の外面５４にわたって延びている場合、溝５２と、カバー４０の外周スカート４４の側壁４３とが脱気通路を形成する。
【００４７】
図６（ａ）から図６（ｃ）に示す実施形態では、脱気通路は少なくとも部分的に、半径方向に延びる一（または複数の）ピン５５によって規定される。ピン５５は、環状リング５０の内面５３または外面５４、もしくはその両方に設けられてもよい。ピンによって、リングはケースまたはカバーの側壁から離されて、脱気通路を形成する。この際、ピンの両側に縦方向の通路が形成される。
【００４８】
図２を参照すると、ピン５５がリング５０の内面５３にわたって延びている場合、ピン５５と、カバー４０の側壁４２とが、脱気通路を規定する。ピン５５がリング５０の外面５４にわたって延びている場合、ピン５５と、ケース２０の側壁２１とが脱気通路を規定する。
【００４９】
図３を参照すると、ピン５５がリング５０の内面５３にわたって延びている場合、ピン５５と、ケース２０の側壁２１とが脱気通路を規定する。ピン５５がリング５０の外面５４にわたって延びている場合、ピン５５と、カバー４０の外周スカート４４の側壁４３とが脱気通路を規定する。
【００５０】
変更例として、脱気通路は、ケースの側壁（図２におけるケースの内面または図３におけるケースの外面）、または、カバーの側壁に配置された溝またはピンによって形成されてもよい。この場合、リングの内面または外面と、ケースまたはカバーに設けられた溝またはピンとが、脱気通路を規定する。
【００５１】
図７を参照して、貯蔵アセンブリの実施形態を示す。ここで、カバー４０は、スカート４４の内面の周全体にわたって延びる隙間４６を有する外周スカート４４を含む。この隙間４６が、環状リング５０を受けるようになっている。隙間４６によって、貯蔵アセンブリの組立段階におけるリング５０の位置の固定を向上させることができる。変更例として、隙間はケース２０の側壁に設けられていてもよく、図２の貯蔵アセンブリの場合には内面に、図３の貯蔵アセンブリの場合には外面に設けられていてもよい。
【００５２】
図７に示した実施形態では、ケース２０は側壁２１の外面の周上に延びる溝２３を含む。この溝２３は、リング５０に圧力をかけてカバー及びケースに押しつけるようになっている。溝２３によって、貯蔵アセンブリの組立段階においてケース２０上におけるリング５０の位置の固定を向上させることができる。変更例として、周状の溝はカバー４０の側壁の内面に配置されてもよい。いずれの場合においても、溝はケースまたはカバーの周全体にわたって延設されていてもよく、ケースまたはカバーの一部のみにわたって延設されていてもよい。
【００５３】
図１０に示す実施形態では、リング５０は、局所的にリング５０を拡張してリングの縦方向下向きに延びる複数のタブ６０を有する。このようなタブによって、リングの寸法が縦方向に変化（局所的に拡大）する。したがって、図１１にさらに詳細に示すように、これらのタブによって、カバーとケースの間で接着剤６２の高さを制御し、タブの位置でその高さを減少させることができる。これにより、機械的に弱い部分が貯蔵アセンブリのケース上に形成されるので、必要な時にカバーとケースを容易に分離することができるようになる。
【００５４】
以下、本発明にかかる電気貯蔵アセンブリの組立方法の一例をより詳細に説明する。
【００５５】
図８を参照すると、本方法は、容量性素子３０を製造することからなるステップ１００を含む。分離体を第１の複合体に取りつけ、第２複合体を該分離体に取りつけることで、間に分離体が挟まれた２つの複合体の積層体を得る。これらの複合体と分離体は、ともに渦巻状に巻かれて巻回素子を形成する。巻回素子は電解質で含浸され、容量性素子３０が得られる。
【００５６】
ケース２０が底部２２を有する場合、次のステップ３００は、容量性素子３０をケース２０に挿入することからなる。
【００５７】
ケース２０の両端が開口している場合、本方法は、容量性素子３０をケース２０に挿入することからなるステップ３００の前に、ステップ２００を有していてもよい。ステップ２００は、ケース２０の一端をカバー４０で覆うことと、リング５０を配置することからなる。
【００５８】
リング５０は、様々な方法で貯蔵アセンブリに配置することができる。例えば、リング５０は、カバー４０をケース２０に組み付ける前に、カバー４０に配置されてもよい。変更例として、リング５０は、カバー４０をケース２０に組み付ける前に、ケース２０に配置されてもよい。また、他の変更例として、リング５０は、カバー４０とケース２０を組み立てた後に、カバー４０とケース２０との間に配置されてもよい。
【００５９】
カバー及びリングはそれからケースに載置される。そして、接着剤がカバーとケースとの間に付与されて、ケースとカバーを接着する。リングはアセンブリの端と接着剤との間に介在する。接着剤によって、リングはカバーにもケースにも結合されない。実際には、リングがあることで、リングによって接着剤の通過が妨げられる。つまり、リングは、接着剤が容量性素子と接触するために通らなければならない経路上に配置され、この経路はＵ字形を形成しカバーの先端壁がこのＵ字形の底を構成する。
【００６０】
本発明のもう１つのステップ４００は、ケース２０の開口端（または、ケース２０の両端が開口している場合は他方の開口端）を閉じることからなる。
【００６１】
上述した通り、ケース２０の開口端を閉じるステップ４００は、リング５０を配置することと、カバー４０を配置することを含む。リング５０は、カバー４０をケース２０に組み付ける前に、カバー４０またはケース２０に配置されてもよく、あるいは、カバー４０がケース２０に組み付けられた後に、接着によってカバー４０とケース２０の間に配置されてもよい。この場合、リングは化学的に電解質に対して相溶性を有する潤滑剤を用いて、カバーとケースとの間に挿入される。カバー、リング、及びケースが組み立てられると、ケースの周全体を接着することによって互いに固定される。
【００６２】
図９は、上述の方法を実行して得られる貯蔵アセンブリの一例を部分的に示している。貯蔵アセンブリは、側壁２１を有するケース２０を備える。ケース２０の開口端は、包囲壁４５及び外周スカート４４を有するカバー４０によって蓋をされている。外周スカート４４の内面は、側壁２１の外面に対向している。環状リング５０は、側壁と外周スカートとの間に位置している。エラストマリングの形状は、カバー４０の底の位置を占め、接着剤６０の一部または全部がリング５０を乗りこえないように設定されている。
【００６３】
変更例として、図１２に示すように、カバー４０は、ケース２０の内側に配置される中実の円筒を形成し、これにより、ケース２０の側壁２１がカバーの側壁４２を包囲するようになっている。リング５０は側壁２１、４２の間に挿入されて、ケースの内側に最も近く位置するようになっている。また、この変更例において、接着剤６０は側壁２１、４２の間に挿入されて、アセンブリの縦方向においてアセンブリの自由端に最も近く位置するようになっている。したがって、リング５０は、接着剤が容量性素子と接触するために通らなければならない経路上に位置している。
【００６４】
上述した貯蔵アセンブリ及びその製造方法には、ここで説明した新しい教示及び効果から実質的に離れることなく、多数の変更が適用可能であることが読者には理解されるだろう。
【００６５】
とくに、容量性素子は、円筒形状、プリズム形状、または当業者に周知の他のいずれの形状であってもよい。さらに、ケースとカバーも断面が異なる形状であってもよく、例えば、楕円、正方形、四角形などであってもよい。
【００６６】
したがって、この種の変更は全て、添付の請求項に規定される貯蔵アセンブリにも含まれる。
【図１】
0006360469.tif 000002
【図２】
0006360469.tif 000003
【図３】
0006360469.tif 000004
【図４】
0006360469.tif 000005
【図５】
0006360469.tif 000006
【図６】
0006360469.tif 000007
【図７】
0006360469.tif 000008
【図８】
0006360469.tif 000009
【図９】
0006360469.tif 000010
【図１０】
0006360469.tif 000011
【図１１】
0006360469.tif 000012
【図１２】
0006360469.tif 000013